(57)【要約】【課題】貨幣処理機の機体内に偽券が投入された場合に、金融機関の窓口のテラーにリジェクト貨幣が偽券であることを知らせることができる貨幣処理機および貨幣処理方法を提供する。【解決手段】貨幣処理機（紙幣入金機１）は、識別部５０による識別結果に基づいて、識別部５０により識別された貨幣（紙幣）が正常な貨幣かそれ以外のリジェクト貨幣かを判別する判別部（制御部５０）と、判別部によりリジェクト貨幣と判別された貨幣に関する情報をジャーナルに印字する印字部（プリンター６）と、を備えている。【選択図】図７
2014032586.tif 000002
【特許請求の範囲】
【請求項１】
少なくとも貨幣の入金処理を行う貨幣処理機であって、
機体内に投入された貨幣の識別を行う識別部と、
前記識別部による識別結果に基づいて、前記識別部により識別された貨幣が正常な貨幣かそれ以外のリジェクト貨幣かを判別する判別部と、
前記判別部によりリジェクト貨幣と判別された貨幣に関する情報をジャーナルに印字する印字部と、
を備えた、貨幣処理機。
【請求項２】
前記印字部は、リジェクト貨幣に関する情報として、リジェクト貨幣のリジェクト原因に関する情報をジャーナルに印字するようになっている、請求項１記載の貨幣処理機。
【請求項３】
前記印字部は、リジェクト貨幣に関する情報として、リジェクト貨幣の枚数に関する情報をジャーナルに印字するようになっている、請求項１または２記載の貨幣処理機。
【請求項４】
前記印字部は、リジェクト貨幣に関する情報を、前記貨幣処理機において入金処理を行った入金者が認識することができないような態様でジャーナルに印字するようになっている、請求項１乃至３のいずれか一項に記載の貨幣処理機。
【請求項５】
前記印字部は、リジェクト貨幣に関する情報を、ジャーナルを受け取る受取者が認識することができるような態様でジャーナルに印字するようになっている、請求項４記載の貨幣処理機。
【請求項６】
前記印字部は、前記貨幣処理機に入金された貨幣に関する情報である入金情報を金種毎にジャーナルに印字するようになっており、当該印字部は、リジェクト貨幣に関する情報を、当該リジェクト貨幣の金種毎に、金種毎の前記入金情報に対応させて印字するようになっている、請求項１乃至５のいずれか一項に記載の貨幣処理機。
【請求項７】
少なくとも貨幣の入金処理を行う貨幣処理機による貨幣処理方法であって、
機体内に投入された貨幣の識別を行う工程と、
識別結果に基づいて、識別された貨幣が正常な貨幣かそれ以外のリジェクト貨幣かを判別する工程と、
リジェクト貨幣と判別された貨幣に関する情報をジャーナルに印字する工程と、
を備えた、貨幣処理方法。
【請求項８】
リジェクト貨幣に関する情報をジャーナルに印字する工程において、リジェクト貨幣のリジェクト原因に関する情報をジャーナルに印字するようになっている、請求項７記載の貨幣処理方法。
【請求項９】
リジェクト貨幣に関する情報をジャーナルに印字する工程において、リジェクト貨幣の枚数に関する情報をジャーナルに印字するようになっている、請求項７または８記載の貨幣処理方法。
【請求項１０】
リジェクト貨幣に関する情報をジャーナルに印字する工程において、リジェクト貨幣に関する情報を、前記貨幣処理機において入金処理を行った入金者が認識することができないような態様でジャーナルに印字するようになっている、請求項７乃至９のいずれか一項に記載の貨幣処理方法。
【請求項１１】
リジェクト貨幣に関する情報をジャーナルに印字する工程において、リジェクト貨幣に関する情報を、ジャーナルを受け取る受取者が認識することができるような態様でジャーナルに印字するようになっている、請求項１０記載の貨幣処理方法。
【請求項１２】
前記貨幣処理機に入金された貨幣に関する情報である入金情報を金種毎にジャーナルに印字する工程を更に備え、
リジェクト貨幣に関する情報をジャーナルに印字する工程において、リジェクト貨幣に関する情報を、当該リジェクト貨幣の金種毎に、金種毎の前記入金情報に対応させて印字するようになっている、請求項７乃至１１のいずれか一項に記載の貨幣処理方法。
【発明の詳細な説明】
【技術分野】
【０００１】
本発明は、少なくとも貨幣の入金処理を行う貨幣処理機およびこのような貨幣処理機による貨幣処理方法に関する。
【背景技術】
【０００２】
従来から、銀行等の金融機関において、紙幣や硬貨等の貨幣の入金処理を行う貨幣入金機をロビーに設置するような運用が行われている。このような貨幣入金機としては、例えば特許文献１等に開示されるものが知られている。貨幣入金機がロビーに設置されているような金融機関では、貨幣を入金したい入金者はまず貨幣入金機で貨幣の入金処理を行う。貨幣入金機において貨幣の入金処理が行われると、当該貨幣入金機において、入金された貨幣に関する情報である入金情報がジャーナル（レシート）に印字され、このジャーナルが貨幣入金機から投出される。ジャーナルには、例えば入金年月日や入金時刻、入金金額、入金ＩＤ情報が入金情報として印字される。なお、入金ＩＤ情報とは、例えば入金者自身の番号である客番号や、取引番号等のことをいう。そして、入金者は、貨幣入金機から受け取ったジャーナルを金融機関の窓口のテラー（行員）に手渡す。テラーは、入金者から受け取ったジャーナルに印字された入金情報を参照して、入金者の銀行口座に、貨幣入金機に入金された貨幣と同額の現金を振り込む。
【先行技術文献】
【特許文献】
【０００３】
【特許文献１】特開２０１１−１００２７５号公報
【発明の概要】
【発明が解決しようとする課題】
【０００４】
ロビーに設置された貨幣入金機において、機体内に投入された貨幣が正常な貨幣である場合には当該貨幣は貨幣入金機内に収納されるが、機体内に投入された貨幣が正常な貨幣ではないリジェクト貨幣（偽券、傷みの激しい貨幣、搬送異常貨幣等）である場合にはこのリジェクト貨幣は機体外へ払い戻されるようになっている。貨幣入金機からリジェクト貨幣が払い戻されたときに、入金者は、リジェクト貨幣をジャーナルとともに金融機関の窓口のテラー（行員）に手渡すと、テラーはリジェクト貨幣をチェックした上で、異常が無ければ、ジャーナルに印字された入金額と合わせて振り込み処理を行う。ここで、貨幣入金機の機体内に偽券が投入されたときには、当該偽券はリジェクト貨幣として貨幣入金機の機体外へ払い戻されるが、このリジェクト貨幣が窓口に持ち込まれた際に、テラーが目視チェックのみを行って偽券であることに気付かなければ、偽券分の金額も振り込んでしまい、銀行が損害を被ることになる。なお、銀行等の金融機関において、貨幣入金機と窓口は離れている場合が多く、偽券が貨幣入金機の機体内に投入されたときに警告音を発したり、警告表示を出力したりする装置を貨幣入金機の近傍に設置しても、窓口のテラーがこのような警告音や警告表示に気付かずに偽券を受け付けてしまうおそれがある。
【０００５】
本発明は、このような点を考慮してなされたものであり、リジェクト貨幣と判別された貨幣に関する情報をジャーナルに印字することにより、貨幣処理機の機体内に偽券が投入された場合に、ジャーナルを受け取る受取者（例えば、金融機関の窓口のテラー）にリジェクト貨幣が偽券であることを知らせることができる貨幣処理機および貨幣処理方法を提供することを目的とする。
【課題を解決するための手段】
【０００６】
本発明は、少なくとも貨幣の入金処理を行う貨幣処理機であって、機体内に投入された貨幣の識別を行う識別部と、前記識別部による識別結果に基づいて、前記識別部により識別された貨幣が正常な貨幣かそれ以外のリジェクト貨幣かを判別する判別部と、前記判別部によりリジェクト貨幣と判別された貨幣に関する情報をジャーナルに印字する印字部と、を備えた、貨幣処理機である。
【０００７】
このような貨幣処理機によれば、識別部による識別結果に基づいて、判別部は、識別部により識別された貨幣が正常な貨幣かそれ以外のリジェクト貨幣かを判別し、印字部は、制御部によりリジェクト貨幣と判別された貨幣に関する情報をジャーナルに印字するようになっている。このように、リジェクト貨幣と判別された貨幣に関する情報をジャーナルに印字することにより、偽券の情報を表示するための表示器やパトライト等を設置しなくても、貨幣処理機の機体内に偽券が投入された場合に、ジャーナルを受け取る受取者（例えば、金融機関の窓口のテラー）にリジェクト貨幣が偽券であることを知らせることができるようになる。
【０００８】
本発明の貨幣処理機においては、前記印字部は、リジェクト貨幣に関する情報として、リジェクト貨幣のリジェクト原因に関する情報をジャーナルに印字するようになっていてもよい。
【０００９】
本発明の貨幣処理機においては、前記印字部は、リジェクト貨幣に関する情報として、リジェクト貨幣の枚数に関する情報をジャーナルに印字するようになっていてもよい。
【００１０】
本発明の貨幣処理機においては、前記印字部は、リジェクト貨幣に関する情報を、前記貨幣処理機において入金処理を行った入金者が認識することができないような態様でジャーナルに印字するようになっていてもよい。
【００１１】
この際に、前記印字部は、リジェクト貨幣に関する情報を、ジャーナルを受け取る受取者が認識することができるような態様でジャーナルに印字するようになっていてもよい。
【００１２】
本発明の貨幣処理機においては、前記印字部は、前記貨幣処理機に入金された貨幣に関する情報である入金情報を金種毎にジャーナルに印字するようになっており、当該印字部は、リジェクト貨幣に関する情報を、当該リジェクト貨幣の金種毎に、金種毎の前記入金情報に対応させて印字するようになっていてもよい。
【００１３】
本発明は、少なくとも貨幣の入金処理を行う貨幣処理機による貨幣処理方法であって、機体内に投入された貨幣の識別を行う工程と、識別結果に基づいて、識別された貨幣が正常な貨幣かそれ以外のリジェクト貨幣かを判別する工程と、リジェクト貨幣と判別された貨幣に関する情報をジャーナルに印字する工程と、を備えた、貨幣処理方法である。
【００１４】
このような貨幣処理方法によれば、リジェクト貨幣と判別された貨幣に関する情報をジャーナルに印字することにより、偽券の情報を表示するための表示器やパトライト等を設置しなくても、貨幣処理機の機体内に偽券が投入された場合に、ジャーナルを受け取る受取者（例えば、金融機関の窓口のテラー）にリジェクト貨幣が偽券であることを知らせることができるようになる。
【００１５】
本発明の貨幣処理方法においては、リジェクト貨幣に関する情報をジャーナルに印字する工程において、リジェクト貨幣のリジェクト原因に関する情報をジャーナルに印字するようになっていてもよい。
【００１６】
本発明の貨幣処理方法においては、リジェクト貨幣に関する情報をジャーナルに印字する工程において、リジェクト貨幣の枚数に関する情報をジャーナルに印字するようになっていてもよい。
【００１７】
本発明の貨幣処理方法においては、リジェクト貨幣に関する情報をジャーナルに印字する工程において、リジェクト貨幣に関する情報を、前記貨幣処理機において入金処理を行った入金者が認識することができないような態様でジャーナルに印字するようになっていてもよい。
【００１８】
この際に、リジェクト貨幣に関する情報をジャーナルに印字する工程において、リジェクト貨幣に関する情報を、ジャーナルを受け取る受取者が認識することができるような態様でジャーナルに印字するようになっていてもよい。
【００１９】
本発明の貨幣処理方法においては、前記貨幣処理機に入金された貨幣に関する情報である入金情報を金種毎にジャーナルに印字する工程を更に備え、リジェクト貨幣に関する情報をジャーナルに印字する工程において、リジェクト貨幣に関する情報を、当該リジェクト貨幣の金種毎に、金種毎の前記入金情報に対応させて印字するようになっていてもよい。
【発明の効果】
【００２０】
本発明の貨幣処理機および貨幣処理方法によれば、貨幣入金機の機体内に偽券が投入された場合に、ジャーナルを受け取る受取者（例えば、金融機関の窓口のテラー）にリジェクト貨幣が偽券であることを知らせることができる。
【図面の簡単な説明】
【００２１】
【図１】本発明の第１の実施の形態における紙幣入金機が設置された銀行等の金融機関の店舗の全体構成を示す概略構成図である。
【図２】本発明の第１の実施の形態における紙幣入金機の構成を示す斜視図である。
【図３】図２に示す紙幣入金機の側方断面図である。
【図４】図２等に示す紙幣入金機の表示入力部の具体的構成を示す構成図である。
【図５】図２等に示す紙幣入金機の機能ブロック図である。
【図６】図２等に示す紙幣入金機における紙幣の入金処理を示すフローチャートである。
【図７】図２等に示す紙幣入金機のプリンターにより印字されたジャーナルの記載内容を示す図である。
【図８】図２等に示す紙幣入金機のプリンターにより印字されたジャーナルの他の記載内容を示す図である。
【図９】本発明の第２の実施の形態における貨幣処理システムの構成を示す構成図である。
【発明を実施するための形態】
【００２２】
〔第１の実施の形態〕
以下、図面を参照して本発明の第１の実施の形態について説明する。図１乃至図８は、本実施の形態に係る紙幣入金機（貨幣処理機）およびこの紙幣入金機が設置された銀行等の金融機関の店舗の全体構成を示す図である。
【００２３】
まず、本実施の形態による紙幣入金機が設置された銀行等の金融機関の店舗の全体構成について図１を用いて説明する。図１に示すように、銀行等の金融機関の店舗１００のロビーには、１または複数の紙幣入金機１が設置されている（図１では、１つの紙幣入金機１のみが店舗１００のロビーに設置された例が示されている）。そして、貨幣を入金したい入金者（図１において参照符号Ａで表示）は、まず紙幣入金機１で紙幣（図１において参照符号ａで表示）の入金処理を行う。紙幣入金機１において紙幣の入金処理が行われると、当該紙幣入金機１において、入金された紙幣に関する情報である入金情報がジャーナル（レシート）に印字され、このジャーナルが紙幣入金機１から投出される。図１では、紙幣入金機１から投出されたジャーナルを参照符号ｂで表示している。ジャーナルには、例えば入金年月日、入金時刻、入金された紙幣の金種毎の枚数、入金された紙幣の合計金額、入金ＩＤ情報等が入金情報として印字されるようになっている。なお、入金ＩＤ情報とは、例えば入金者自身の番号である客番号や、取引番号等のことをいう。
【００２４】
また、紙幣入金機１において、機体内に投入された紙幣が正常な紙幣である場合には当該紙幣は紙幣入金機１内に収納されるが、機体内に投入された紙幣が正常な紙幣ではないリジェクト紙幣（偽券、傷みの激しい紙幣、搬送異常紙幣等）である場合にはこのリジェクト紙幣は機体外へ払い戻されるようになっている。図１では、紙幣入金機１から払い戻されたリジェクト紙幣を参照符号ｃで示している。紙幣入金機１で紙幣の入金処理を行った入金者は、紙幣入金機１から投出されたジャーナルおよび紙幣入金機１から払い戻されたリジェクト紙幣を受け取ると、金融機関の店舗１００のロビーに設置されたテーブル３００まで移動し、このテーブル３００で伝票（図１において参照符号ｄで表示）の記入を行う。伝票には、入金すべき硬貨および紙幣の金種毎の枚数や合計金額等を記入する。
【００２５】
そして、入金者は、金融機関の店舗１００のロビーに設置された窓口カウンター２００まで移動し、この窓口カウンター２００で、図１において参照符号Ｂで示されるテラー（行員）に、紙幣入金機１から受け取ったジャーナル、紙幣入金機１から払い戻されたリジェクト紙幣、テーブル３００で記入した伝票、および銀行の預金通帳（図１において参照符号ｅで表示）等をそれぞれ手渡す。また、入金者が硬貨の入金を行いたい場合には、テラーに硬貨を直接手渡す。テラーは、入金者から受け取ったジャーナルに印字された入金情報を参照して、入金者の銀行口座に、紙幣入金機１に入金された紙幣、および入金者から直接手渡された硬貨やリジェクト紙幣の合計金額と同額の現金を振り込む。また、窓口カウンター２００におけるテラー側には、紙幣の真偽判定用のランプ（具体的には、例えばバイオレットランプ）が設けられており、この真偽判定用のランプにより紙幣が照らされると、当該紙幣が真正なものである場合には、当該紙幣に印刷された蛍光インクが光るようになっている。テラーは、入金者から受け取ったリジェクト紙幣を真偽判定用のランプで照らすことにより、この紙幣が真正なものか、あるいは偽券であるかを判定することができるようになっている。
【００２６】
次に、金融機関の店舗１００のロビーに設置される紙幣入金機１の構成の詳細について図２乃至図５を用いて説明する。図２は、本実施の形態における紙幣入金機１の構成を示す斜視図であり、図３は、図２に示す紙幣入金機１の側方断面図である。図２および図３に示すように、紙幣入金機１は、筐体１ａと、筐体１ａに設けられて複数の紙幣Ｐが載置される載置部２０と、載置部２０に載置された複数の紙幣Ｐを１枚ずつ筐体１ａ内に取り込む受入部２５と、受入部２５により取り込まれた紙幣Ｐを搬送する搬送部３０と、搬送部３０で搬送された紙幣Ｐを集積する集積部６０と、搬送部３０に設けられ、当該搬送部３０で搬送される紙幣Ｐの識別を行うとともに紙幣Ｐの計数を行う識別部４０と、集積部６０に集積された紙幣Ｐを受け入れて収納する収納カセット７０と、を備えている。
【００２７】
このうち、受入部２５は、図３に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１ａの内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２８】
また、図３に示すように、搬送部３０は、紙幣Ｐを搬送する搬送ベルト３１、搬送ローラ３２等で構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００２９】
また、図３に示すように、集積部６０は、集積紙幣Ｐを前面側に傾斜させた状態で集積させる形状となっており、搬送部３０から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、集積部６０から紙幣Ｐを取り出したりする側のことを意味し、図３の右側のことを意味している。他方、本願で後面側とは、前面側と反対側を意味し、図３の左側のことを意味している。
【００３０】
また、図２および図３に示すように、集積部６０の前面側には、集積された紙幣Ｐを外部から取り出すための前面開口を開閉するための前面シャッター部６２が設けられている。この前面シャッター部６２は、後述する制御部５０によって、少なくとも挟持搬送機構１０（後述）によって紙幣Ｐを収納カセット７０へ搬送しているときに開放不可能となるように制御されている。
【００３１】
また、図３に示すように、集積部６０には、当該集積部６０に集積された紙幣Ｐの表面を挟持し、その表面と平行な方向へ当該紙幣Ｐを搬送することで収納カセット７０へ紙幣Ｐを収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面を挟持し、当該複数の紙幣Ｐを一括して収納カセット７０へ搬送することができるように構成されている（図３の矢印Ａ１参照）。
【００３２】
また、図３に示すように、収納カセット７０には、挟持搬送機構１０で搬送される紙幣Ｐを取り込むためのスリット状のスリット開口部７１と、当該スリット開口部７１を開閉するためのスリットシャッター部７２が設けられている。なお、収納カセット７０は図２に示す収納筐体７５内に取り出し自在に収納されている。また、図２に示すように、収納カセット７０は、扉７７を開けて、紙幣入金機１への装填及び取り外しが可能である。より詳細には、扉７７には把手７６および電磁キー（図示せず）が設けられており、制御的に電磁キーを解錠し、把手７６を回して扉７７を開くようになっている。紙幣入金機１への収納カセット７０の装填、及び紙幣入金機１からの収納カセット７０の取り外しは、警備会社の作業員により行われる。
【００３３】
また、図２に示すように、紙幣入金機１の筐体１ａには、所定の情報を表示する機能とデータ入力を可能とする機能を有する表示入力部５が設けられている。このような表示入力部５の具体的構成を図４に示す。図４に示すように、表示入力部５は、紙幣Ｐの計数結果等を表示するモニタ５ａと、操作者が様々な指令を入力するための複数の入力キー５ｂとから構成されている。モニタ５ａには、例えば、収納カセット７０に収納された紙幣Ｐの金種毎の枚数等が表示されるようになっている。図４に示すように、複数の入力キー５ｂは、メニューキー、交換キー、クリアキー、確定キー、上下左右各方向の矢印キー、シフトキー、モードキー、締めキー、回収キー、スタート／ストップキー等から構成されている。
【００３４】
また、図２に示すように、紙幣入金機１の筐体１ａには、紙幣Ｐの計数結果等を印字するプリンター６や、後述する制御部５０に対して操作者が様々な入力を行うためのテンキー７、操作者のＩＤ情報を得るために当該操作者が保持するＩＤカードの読み取りを行うカード読取部８がそれぞれ設けられている。
【００３５】
また、図３に示すように、搬送部３０には、異常時に、集積部６０に搬送されない紙幣Ｐが搬送されるリジェクト部６５が設けられている。
【００３６】
ここで言う異常とは、識別異常および搬送異常を意味している。識別異常とは、識別部４０で識別された情報が制御部５０に予め記憶された情報と一致しない場合のことを意味している。そして、このような識別異常としては、例えば、識別された紙幣Ｐが予定していた種類と異なる種類の紙幣Ｐであると識別されたときや、そもそも紙幣Ｐの種類を識別することができなかったとき（具体的には、損傷の激しい紙幣や偽券を含む）などを挙げることができる。
【００３７】
また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００３８】
本実施の形態の紙幣入金機１には、図５に示すような制御部５０が設けられており、この制御部５０が、紙幣入金機１の各構成要素を制御するようになっている。図５に示すように、制御部５０には、受入部２５、搬送部３０、識別部４０、前面シャッター部６２、挟持搬送機構１０、スリットシャッター部７２、表示入力部５、プリンター６、テンキー７、カード読取部８等がそれぞれ接続されている。そして、識別部４０により識別計数された紙幣Ｐの識別計数情報は制御部５０に送られるようになっている。また、制御部５０は、識別部４０による紙幣Ｐの識別結果に基づいて、識別部４０により識別された紙幣Ｐが正常な紙幣かそれ以外のリジェクト紙幣かを判別する判別部として機能するようになっている。
【００３９】
また、表示入力部５の各入力キー５ｂやテンキー７により入力された操作者からの様々な指令は制御部５０に送られるようになっている。また、カード読取部８により読み取られた操作者のＩＤ情報等も制御部５０に送られるようになっている。また、制御部５０は、受入部２５、搬送部３０、前面シャッター部６２、挟持搬送機構１０、スリットシャッター部７２、表示入力部５、プリンター６等の各構成要素に制御信号を送り、これらの構成要素の制御を行うようになっている。
【００４０】
また、図５に示すように、制御部５０には記憶部５４が接続されている。記憶部５４には、紙幣入金機１を特定する装置ＩＤ等の事前に設定される情報や、紙幣Ｐの計数結果等が記憶されるようになっている。
【００４１】
また、図５に示すように、制御部５０にはインターフェース部５６が接続されており、このインターフェース部５６を介して制御部５０は外部装置と信号の送受信を行うことができるようになっている。
【００４２】
次に、このような構成からなる紙幣入金機１の動作について、図６に示すフローチャートを用いて説明する。
【００４３】
入金者によって、載置部２０に紙幣Ｐが載置されると（ＳＴＥＰ１の「ＹＥＳ」）、受入部２５によって、載置部２０に載置された複数の紙幣Ｐが一枚ずつ機内に取り込まれる（ＳＴＥＰ２）。このとき、キッカローラ２６によって載置部２０に載置された複数の紙幣Ｐのうち最も下方に位置する紙幣Ｐが蹴り出され、この蹴り出された紙幣Ｐはフィードローラ２７ａによって繰り出される。また、ゲートローラ２７ｂの作用により、フィードローラ２７ａによって繰り出される紙幣Ｐが１枚ずつに分離される。
【００４４】
次に、搬送部３０によって、受入部２５で取り込まれた紙幣Ｐが搬送される。このとき、搬送部３０に設けられた識別部４０によって、搬送部３０で搬送される紙幣Ｐが識別計数される（ＳＴＥＰ３）。制御部５０は、識別部４０による識別結果に基づいて、識別部４０により識別された紙幣Ｐが正常な紙幣かそれ以外のリジェクト紙幣かを判別する。
【００４５】
搬送部３０で紙幣Ｐが搬送されているときに識別異常や搬送異常が発生した場合には（ＳＴＥＰ４の「ＹＥＳ」）、当該紙幣Ｐはリジェクト部６５へと搬送される（ＳＴＥＰ５）。他方、このような識別異常や搬送異常が発生しない場合には（ＳＴＥＰ４の「ＮＯ」）、搬送されている紙幣Ｐは集積部６０に搬送される（ＳＴＥＰ６）。
【００４６】
このように集積部６０へ紙幣Ｐが搬送される際には、当該紙幣Ｐは、羽根車３５の羽根３５ａの間で受け止められて集積部６０に整列集積される。そして、羽根車３５によって搬送された紙幣Ｐは、集積部６０内で、前面側に傾斜させた立位状態で集積されることとなる。表示入力部５には、集積部６０内に集積された紙幣Ｐの金種毎の枚数や合計金額が表示されるようになる。また、識別結果（集積部６０内に集積された紙幣Ｐの金種毎の枚数や合計金額等）が入金者のＩＤ情報と合わせて記憶部５４に記憶される。
【００４７】
上述のようにして、載置部２０に載置された複数の紙幣Ｐの全てが集積部６０に搬送されて、載置部２０に紙幣Ｐが存在しなくなると（ＳＴＥＰ７の「ＹＥＳ」）、集積部６０に集積された紙幣Ｐの金種毎の枚数や合計金額に対する承認指示を求める表示が表示入力部５に表示される（ＳＴＥＰ８）。
【００４８】
そして、ＳＴＥＰ９の「ＹＥＳ」に示すように、入金者により承認指示が表示入力部５から入力されると（具体的には、入金者が表示入力部５の確定キーを押下すると）、集積部６０に集積された複数の紙幣Ｐが、挟持搬送機構１０によって、スリット開口部７１を通過して、収納カセット７０内に収納される（ＳＴＥＰ１０）（図３の矢印Ａ１参照）。なおこのとき、スリットシャッター部７２が前面側に移動されており、スリット状のスリット開口部７１が開状態となっている。他方、紙幣Ｐが収納カセット７０内に収納されるとき以外は、スリットシャッター部７２は後面側に移動されており、スリット開口部７１は閉状態となっている。また、集積部６０に集積された紙幣Ｐが収納カセット７０内に収納されると、プリンター６によりジャーナル（レシート）に入金情報（入金年月日、入金された紙幣Ｐの金種毎の枚数、入金された紙幣Ｐの合計金額、入金ＩＤ情報等）が印字され（ＳＴＥＰ１３）、このジャーナルが紙幣入金機１から投出される。
【００４９】
なお、リジェクト部６５に紙幣Ｐが存在する場合には、入金者が、その紙幣Ｐを再度、載置部２０に載置して、前述と同様の工程が繰り返されて、全ての紙幣Ｐが集積部６０へ搬送されるようにする。しかしながら、何度やってもリジェクト部６５に搬送される紙幣Ｐについては、受付できない紙幣Ｐとして判断されて収納対象から除かれる。このリジェクト紙幣については、入金することをあきらめるか、窓口に持ち込んで入金処理を行うことになる。また、集積部６０内に集積された紙幣Ｐの金種毎の枚数や合計金額について入金者が承認できない場合には（ＳＴＥＰ９の「ＮＯ」）、当該入金者は返却指示を表示入力部５によって入力することにより前面シャッター部６２が開放されて集積紙幣Ｐが取り出し可能となり（ＳＴＥＰ１１）（図３の矢印Ａ２参照）、集積部６０に集積された紙幣Ｐが入金者により回収されると（ＳＴＥＰ１２の「ＹＥＳ」）、処理が終了する。
【００５０】
次に、図６のフローチャートに示すような紙幣Ｐの入金処理が行われたときに、プリンター６によりジャーナルに印字される入金情報の詳細について図７を用いて説明する。図７は、紙幣入金機１のプリンター６により打ち出されたジャーナルの記載内容を示す図である。図７に示すジャーナルの記載内容において、［ＤＥＰＯＳＩＴ  Ｎｏ．１０９］という記載は、取引番号を示しており、１７／０５／２０１２、１１：１１：４８という記載は、それぞれ入金年月日および入金時刻を示している。また、ＤＤＤＤ−Ｎｏ．ＢＢＢＢＢＢＢという記載は、紙幣入金機１の装置ＩＤ（具体的には、どの店舗の何号機であるかという情報）を示しており、ＩＤ  Ｎｏ．０１３４−１２３４５６７８９という記載は、入金者のＩＤ情報を示している。また、ＣＵＲＲＥＮＣＹの記載において、ＤＥＮＯＭＩという記載は紙幣Ｐの金種を示しており、ＰＣＳという記載は入金された紙幣Ｐの枚数を示しており、ＡＭＯＵＮＴという記載は、紙幣Ｐの各金種の合計金額、または全ての紙幣Ｐの合計金額を示している。
【００５１】
本実施の形態では、プリンター６は、紙幣入金機１の制御部５０によりリジェクト紙幣と判別された紙幣に関する情報もジャーナルに印字するようになっている。より詳細には、  プリンター６は、リジェクト紙幣に関する情報を、紙幣入金機１において入金処理を行った入金者（図１において参照符号Ａで表示）が認識することができず、かつ、ジャーナルを受け取るテラー（図１において参照符号Ｂで表示）が認識することができるような態様でジャーナルに印字するようになっている。具体的には、プリンター６は、リジェクト紙幣に関する情報として、図７における参照符号４００で示すような、２つの星印からなるマークをジャーナルに印字する。ここで、２つの星印がジャーナルに印字されることは、リジェクト紙幣が２枚存在することを意味し、また、マークの形（例えば、星印）でリジェクト原因を示している。
【００５２】
より詳細に説明すると、リジェクト紙幣のリジェクト原因（例えば、偽券、損券、搬送異常等）は、どのセンサにより異常が検出されたかということと密接に関係している。ここで、異常を検出したセンサの種類を、様々なマークの形に対応させることにより、ジャーナルを受け取るテラーは、ジャーナルに印字されたマークの形に基づいて、リジェクト紙幣のリジェクト原因を認識することができるようになる。すなわち、識別部４０は、例えばラインセンサ、蛍光センサ、磁気センサ等の複数の種類のセンサから構成されているが、例えばラインセンサを星印、蛍光センサを三角印、磁気センサを丸印にそれぞれ対応させることにより、識別部４０におけるラインセンサにおいて異常が検出された場合には、ジャーナルには星印が印字されるようになり、ジャーナルを受け取るテラーは、ジャーナルに印字されたマークの形に基づいて、識別部４０におけるラインセンサにおいて異常が検出されたことを認識することができるようになる。
【００５３】
このように、本実施の形態では、プリンター６は、リジェクト紙幣と判別された紙幣に関する情報として、リジェクト紙幣のリジェクト原因に関する情報、およびリジェクト紙幣の枚数に関する情報をジャーナルに印字するようになっている。また、ジャーナルには、リジェクト紙幣と判別された紙幣に関する情報として、図７の参照符号４００に示すように例えば２つの星印からなるマークが印字されるため、このようなマークは、紙幣入金機１において入金処理を行った入金者がリジェクト紙幣の詳細（リジェクト原因や枚数）を認識することができず、かつ、ジャーナルを受け取るテラーが認識することができるものとなる。そして、リジェクト紙幣のリジェクト原因が偽券によるものである場合には、テラーは、入金者から受け取ったリジェクト紙幣を、窓口カウンター２００におけるテラー側に設けられた真偽判定用のランプで照らすことにより、リジェクト紙幣が偽券であることを確認することができる。
【００５４】
なお、リジェクト紙幣と判別された紙幣に関する情報は、リジェクト紙幣の金種毎に、紙幣の金種毎の計数結果に対応させてジャーナルに印字されるようになっていてもよい。図８に、リジェクト紙幣と判別された紙幣に関する情報を、リジェクト紙幣の金種毎に、紙幣の金種毎の計数結果に対応させてジャーナルに印字した場合のジャーナルの記載内容を示す。
【００５５】
図８に示すジャーナルでは、金種（ＤＥＮＯＭＩ）における１００，０００の表示の左側に２つの星印からなるマークが記載されており（図８における参照符号４００ａ参照）、また、金種（ＤＥＮＯＭＩ）における２，０００の表示の左側に１つの三角印からなるマークが記載されている（図８における参照符号４００ｂ参照）。これは、紙幣入金機１の制御部５０によりリジェクト紙幣と判別された紙幣について、金種が１００，０００でありかつ識別部４０におけるラインセンサにより異常が検出されたものが２枚、および金種が２，０００でありかつ識別部４０における蛍光センサにより異常が検出されたものが１枚存在することを意味している。この方式によれば、テラーに持ち込まれた紙幣のうち、金種が１００，０００および２，０００の紙幣について重点的に真偽チェックを行えばよく、確認作業を精度良くかつ効率的に行うことができる。
【００５６】
以上のように本実施の形態の紙幣入金機１および紙幣処理方法によれば、識別部４０による識別結果に基づいて、判別部として機能する制御部５０は、識別部４０により識別された紙幣が正常な紙幣かそれ以外のリジェクト紙幣かを判別し、プリンター６は、制御部５０によりリジェクト紙幣と判別された紙幣に関する情報をジャーナルに印字するようになっている。このように、リジェクト紙幣と判別された紙幣に関する情報をジャーナルに印字することにより、紙幣入金機１の機体内に偽券が投入された場合に、ジャーナルを受け取る受取者（金融機関の窓口のテラー）にリジェクト紙幣が偽券である可能性が高いことを知らせることができるようになる。
【００５７】
また、プリンター６が、リジェクト紙幣に関する情報を、紙幣入金機１において入金処理を行った入金者が認識することができないような態様でジャーナルに印字するようになっている場合には、リジェクト紙幣が偽券であるという情報を、入金者に知られることなく、ジャーナルを受け取る受取者（金融機関の窓口のテラー）にのみ知らせることができるようになる。このことにより、リジェクト紙幣が偽券であることを入金者が知ってしまうことに起因する様々なトラブルを防止することができる。
【００５８】
なお、本実施の形態による紙幣入金機１およびこの紙幣入金機１による紙幣処理方法は、上記の態様に限定されるものではなく、様々の変更を加えることができる。
【００５９】
例えば、制御部５０によりリジェクト紙幣と判別された紙幣に関する情報として、ジャーナルに印字されるのは図７や図８に示すようなマークに限定されることはない。リジェクト紙幣に関する情報として、プリンター６は、例えばバーコードをジャーナルに印字するようになっていてもよい。あるいは、入金者により紙幣入金機１に入金された紙幣の中に、制御部５０によりリジェクト紙幣と判別された紙幣が存在する場合には、プリンター６は、ジャーナルに印字される入金紙幣の計数結果の文字のフォントや色を、リジェクト紙幣のリジェクト原因や枚数に応じて変えるようになっていてもよい。
【００６０】
また、入金者により紙幣入金機１に紙幣が入金されたときに、プリンター６は、入金紙幣の計数結果に加えて、紙幣入金機１の収納カセット７０にあと何枚紙幣が入るか、あるいは収納カセット７０の空き容量が全体の容量の何％であるかという情報を、紙幣入金機１において入金処理を行った入金者が認識することができないような態様でジャーナルに印字するようになっていてもよい。また、紙幣入金機１の収納カセット７０がフル状態やニアフル状態となったとき、あるいは、紙幣入金機１のプリンター６のロール紙の紙切れが生じたときに、プリンター６は、入金紙幣の計数結果に加えて、このような情報を、紙幣入金機１において入金処理を行った入金者が認識することができないような態様でジャーナルに印字するようになっていてもよい。このようにすれば、紙幣入金機１が管理装置と接続されていないオフライン環境においても、紙幣入金機１の状態をテラーに通知することができ、必要な場合には対応措置をとることができる。
【００６１】
〔第２の実施の形態〕
以下、図面を参照して本発明の第２の実施の形態について説明する。図９は、本実施の形態における貨幣処理システムの構成を示す図である。図９に示す貨幣処理システムは、図１に示す貨幣処理システムと類似しているが、図１に示す貨幣処理システムとの差異点として、図９に示す貨幣処理システムでは、銀行等の金融機関の店舗１００とは別に金融機関のデータセンター５００が設けられており、このデータセンター５００に設置されたホストサーバ５１０と店舗１００に設置された紙幣入金機１とが通信接続されている。また、図９に示す貨幣処理システムでは、窓口カウンター２００におけるテラー側にはコンピュータ９０がテラー毎に設けられており、このコンピュータ９０もデータセンター５００のホストサーバ５１０と通信接続されている。
【００６２】
図９に示す貨幣処理システムでは、貨幣を入金したい入金者（図９において参照符号Ａで表示）は、まず、入金専用のＩＤカード（図９において参照符号ｆで表示）を紙幣入金機１のカード読取部８により読み取らせる。このことにより、紙幣入金機１において入金者のＩＤ情報が得られる。得られた入金者のＩＤ情報は紙幣入金機１からホストサーバ５１０に送信される。なお、ホストサーバ５１０では、入金専用のＩＤカードに記録された入金者のＩＤ情報と、入金者の銀行口座５３０の番号とが予め紐付けられている。
【００６３】
次に、入金者は、紙幣入金機１で紙幣（図９において参照符号ａで表示）の入金処理を行う。紙幣入金機１において紙幣の入金処理が行われると、当該紙幣入金機１において、入金された紙幣に関する情報である入金情報がジャーナル（レシート）に印字され、このジャーナルが紙幣入金機１から投出される（図９では、紙幣入金機１から投出されたジャーナルを参照符号ｂで表示している）。また、紙幣入金機１において紙幣の入金処理が行われると、入金情報が紙幣入金機１からホストサーバ５１０に送信される。
【００６４】
データセンター５００では、金融機関の各店舗１００に設置された紙幣入金機１に紙幣が入金され、当該紙幣入金機１から入金情報が送信される度に、銀行自体が所有する口座５２０から入金者の銀行口座５３０へ現金がリアルタイムで入金される。なお、このような入金は、例えばデータセンター５００に駐在する係員が行うようになっている（なお、このような入金を自動で行ってもよい）。また、窓口カウンター２００におけるテラー側に設置されたコンピュータ９０に、ホストサーバ５１０から操作者のＩＤ情報や入金情報が送信される。
【００６５】
一方、金融機関の店舗１００において、ロビーに設置された窓口カウンター２００に入金者が移動し、当該入金者は、この窓口カウンター２００で、図９において参照符号Ｂで示されるテラー（行員）に、入金専用のＩＤカードおよび銀行の預金通帳（図９において参照符号ｅで表示）等をそれぞれ手渡す。なお、この際に、入金者は、紙幣入金機１から投出されたジャーナルや、紙幣入金機１から払い戻されたリジェクト紙幣をテラーに手渡してもよい。また、入金者は、テーブル３００で伝票（図９において参照符号ｄで表示）の記入を行い、この伝票をテラーに手渡してもよい。テラーは、コンピュータ９０を操作することにより、入金者のＩＤ情報に対応する入金情報を参照することができる。このようにして、テラーは、ホストサーバ５１０からコンピュータ９０に送られた情報に基づいて、入金者から受け取った銀行の預金通帳に、今回の入金分の情報を印字する。そして、テラーが入金者に入金専用のＩＤカードおよび銀行の預金通帳を返却することにより、図９に示す貨幣処理システムにおける一連の動作が終了する。
【００６６】
図９に示すような貨幣処理システムによれば、銀行自体が所有する口座５２０や入金者の銀行口座５３０を含む銀行のオンラインシステムに紙幣入金機１を直接通信接続しなくても、紙幣入金機１からホストサーバ５１０に送信された入金情報に基づいて、入金者の銀行口座５３０に現金を入金することができるようになる。このことにより、システムを大幅に変更したり、銀行オンラインシステムへの接続に関する開発を行ったりしなくても、紙幣入金機１とホストサーバ５１０との間の通信接続を活用して、入金者の銀行口座５３０に現金を迅速かつ確実に振り込むことができるようになる。
【００６７】
なお、本実施の形態による貨幣処理システムは、上記の態様に限定されるものではなく、様々の変更を加えることができる。
【００６８】
例えば、ホストサーバ５１０において、入金者が所有する銀行の預金通帳の番号と、入金者の銀行口座５３０の番号とが予め紐付けられている場合には、入金専用のＩＤカードは必ずしも必要ではなくなる。すなわち、入金者が入金専用のＩＤカードを所持していない場合でも、紙幣入金機１において紙幣の入金処理を行う際に、入金者が紙幣入金機１の表示入力部５における入力キー５ｂやテンキー７によって銀行の預金通帳の番号を入力することにより、ホストサーバ５１０において入金者の特定を行うことができるようになる。そして、紙幣入金機１からホストサーバ５１０に紙幣の入金情報が送信されると、データセンター５００において銀行自体が所有する口座５２０から入金者の銀行口座５３０に現金が振り込まれる。
【符号の説明】
【００６９】
１  紙幣入金機
１ａ  筐体
５  表示入力部
５ａ  モニタ
５ｂ  入力キー
６  プリンター
７  テンキー
８  カード読取部
１０  挟持搬送機構
２０  載置部
２５  受入部
２６  キッカローラ
２７ａ  フィードローラ
２７ｂ  ゲートローラ
３０  搬送部
３１  搬送ベルト
３２  搬送ローラ
３５  羽根車
３５ａ  羽根
４０  識別部
５０  制御部
５４  記憶部
５６  インターフェース部
６０  集積部
６２  前面シャッター部
６４  支持部
６５  リジェクト部
７０  収納カセット
７１  スリット開口部
７２  スリットシャッター部
７５  収納筐体
７６  把手
７７  扉
９０  コンピュータ
１００  金融機関の店舗
２００  窓口カウンター
３００  テーブル
４００、４００ａ、４００ｂ  リジェクト紙幣と判別された紙幣に関する情報を示すマーク
５００  データセンター
５１０  ホストサーバ
５２０  銀行自体が所有する口座
５３０  入金者の銀行口座
【図１】
2014032586.tif 000003
【図２】
2014032586.tif 000004
【図３】
2014032586.tif 000005
【図４】
2014032586.tif 000006
【図５】
2014032586.tif 000007
【図６】
2014032586.tif 000008
【図７】
2014032586.tif 000009
【図８】
2014032586.tif 000010
【図９】
2014032586.tif 000011